【手続補正書】
【提出日】平成18年3月17日(2006.3.17)
【手続補正１】
【補正対象書類名】明細書
【補正対象項目名】発明の名称
【補正方法】変更
【補正の内容】
【発明の名称】印刷またはニス引き機の押圧装置
【手続補正２】
【補正対象書類名】明細書
【補正対象項目名】特許請求の範囲
【補正方法】変更
【補正の内容】
【特許請求の範囲】
【請求項１】  胴（３）の外周面上に胴貼り（５）を巻き付ける押圧ローラ（６）と、第１の開閉カバー（９）と該第１の開閉カバー（９）にジョイント（１１）によって連結された第２の開閉カバー（１０）とを有し前記第１の開閉カバー（９）が保護位置（９．１）にあるときに前記押圧ローラ（６）と前記胴（３）とで形成されたくさび形進入口（７）を覆う指保護装置とを備えている、印刷またはニス引き機（１）の押圧装置において、
前記第１の開閉カバー（９）は、前記胴貼り（５）を押圧する押圧部材として構成されていることを特徴とする押圧装置。
【請求項２】  前記第１の開閉カバー（９）は、前記第１の開閉カバー（９）が前記胴貼り（５）に当接する押圧位置（９．３）へ位置調節可能に支持されている、請求項１に記載の押圧装置。
【請求項３】  前記第１の開閉カバー（９）は、前記押圧位置（９．３）のとき、前記胴（３）の胴溝（１４）内に入り込む、請求項２に記載の押圧装置。
【請求項４】  前記胴貼り（５）は、前記押圧位置（９．３）のとき、前記第１の開閉カバー（９）によって前記胴（３）のクランプ装置（１５）のクランプ台（１７）上に保持される、請求項２または３に記載の押圧装置。
【請求項５】  前記胴貼り（５）は、前記押圧位置（９．３）のとき、前記第１の開閉カバー（９）によって前記胴（３）の胴溝（１４）内に曲げ入れられた状態に保持される、請求項２から４のいずれか１項に記載の押圧装置。
【請求項６】  前記保護位置（９．１）のとき、前記第１の開閉カバー（９）に配置された転がり部材または滑り部材が、ばね（４６）によって案内軌道に当接した状態に保たれる、請求項１から５のいずれか１項に記載の押圧装置。
【請求項７】  前記第１の開閉カバー（９）は、前記保護位置（９．１）から、前記転がり部材または滑り部材が前記ばね（４６）のばね力に打ち勝って前記案内軌道から持ち上げられる切換位置（９．４）へ、前記ジョイント（１１）を中心として揺動可能に支持されている、請求項６に記載の押圧装置。
【請求項８】  前記転がり部材または滑り部材は、前記保護位置（９．１）のとき、前記案内軌道の係止切欠き（４５）内に収まっている、請求項６または７に記載の押圧装置。
【請求項９】  前記案内軌道は、カム（４３）の湾曲したカム軌道であり、前記転がり部材または滑り部材はカムフォロワ部材（４４）である、請求項６から８のいずれか１項に記載の押圧装置。
【請求項１０】  請求項１から９のいずれか１項に記載の押圧装置を備えている印刷またはニス引き機。
【手続補正３】
【補正対象書類名】明細書
【補正対象項目名】０００１
【補正方法】変更
【補正の内容】
【０００１】
【発明の属する技術分野】
本発明は、請求項１の前提項に記載されている通りの、胴の外周面上に胴貼りを巻き付ける押圧ローラと、第１の開閉カバーとこの第１の開閉カバーに回転ジョイントによって連結された第２の開閉カバーとを含み第１の開閉カバーが保護位置にあるときに押圧ローラと胴とで形成されたくさび形進入口を覆う指保護装置とを備えている、印刷またはニス引き機の押圧装置に関する。
【手続補正４】
【補正対象書類名】明細書
【補正対象項目名】０００２
【補正方法】変更
【補正の内容】
【０００２】
【従来の技術】
ドイツ特許出願公開第１００１８９２３Ａ１号明細書には、このような押圧装置が記載されているが、この押圧装置は、技術的な補助なしに手作業で、胴貼りを胴の胴溝内に曲げ入れ、そのときに胴貼りの後端を、胴溝内に配置されたクランプ装置に向かって押すことが、操作者に委ねられたままである。
【手続補正５】
【補正対象書類名】明細書
【補正対象項目名】０００４
【補正方法】変更
【補正の内容】
【０００４】
【発明が解決しようとする課題】
ドイツ特許出願公開第２１５６０４４号明細書に記載されている押圧装置も、同じように操作が快適でない。
【手続補正６】
【補正対象書類名】明細書
【補正対象項目名】０００５
【補正方法】変更
【補正の内容】
【０００５】
したがって、本発明の目的は、胴貼りの後端を容易にしっかりとクランプすることができる押圧装置を提供することにある。
【手続補正７】
【補正対象書類名】明細書
【補正対象項目名】０００６
【補正方法】変更
【補正の内容】
【０００６】
【課題を解決するための手段】
この目的は、請求項１の特徴を備えており、第１の開閉カバーが、胴貼りを押圧させる押圧部材として構成されていることを特徴とする、冒頭に述べた種類の押圧装置によって達成される。
【手続補正８】
【補正対象書類名】明細書
【補正対象項目名】０００７
【補正方法】変更
【補正の内容】
【０００７】
本発明の押圧装置では、第１の開閉カバーが多機能を有している。第１の開閉カバーは、一方では、操作者を怪我から守る働きをするとともに、他方では、胴貼りの後端をしっかりとクランプするときに操作者の作業を容易にする働きをする。この多機能性に基づいて、格別にコンパクトな押圧装置の構造が得られる。押圧装置を組み込むのに、印刷またはニス引き機の内部に比較的わずかな組立空間しか必要でない。このようなコンパクトさは、本発明とは異なる構成の、押圧ローラと指保護装置と追加の押圧部材とを含む押圧装置では得られない。さらに、本発明の押圧装置では、胴貼りを胴の胴溝内に曲げ入れ、胴貼りの後端を、胴溝内に配置されたクランプ装置に向かって押すために、胴貼りを巻き付ける押圧ローラを自由に用いることができ、第１の開閉カバーによって構成されている押圧部材を自由に用いることができる利点がある。胴貼りの押圧に用いられる両方の部材、すなわち押圧ローラと押圧部材のそれぞれが、それらの固有の役割に関して構造上最適になる構成になっている。押圧ローラは、特に外周面上への胴貼りの巻き付けのための構成になっている。指保護装置によって構成されている押圧部材は、特に後端の近くで行われる胴貼りの曲げのための構成になっている。本発明とは異なり押圧ローラと押圧部材が別々の２つの部材ではなく同一の部材である押圧装置では、構造上の妥協を受け入れざるを得ず、そのために、巻き付けと曲げという個々の機能のそれぞれに関して、機能の低下に目をつぶらざるを得ない。
【手続補正９】
【補正対象書類名】明細書
【補正対象項目名】０００８
【補正方法】変更
【補正の内容】
【０００８】
本発明による押圧装置の押圧ローラは、ブランケット胴とは異なる押圧ローラであり、すなわち、ブランケット胴ではない。
【手続補正１０】
【補正対象書類名】明細書
【補正対象項目名】００１０
【補正方法】変更
【補正の内容】
【００１０】
本発明の押圧装置の有利な別の実施態様が下位の請求項に記載されている。
【手続補正１１】
【補正対象書類名】明細書
【補正対象項目名】００１１
【補正方法】変更
【補正の内容】
【００１１】
一実施態様は、第１の開閉カバーが、第１の開閉カバーが胴貼りに当接する押圧位置へ位置調節可能に支持されていることを特徴とする。
【手続補正１２】
【補正対象書類名】明細書
【補正対象項目名】００１２
【補正方法】変更
【補正の内容】
【００１２】
別の実施態様は、第１の開閉カバーが、押圧位置のとき、胴の胴溝内に入り込む内容である。
【手続補正１３】
【補正対象書類名】明細書
【補正対象項目名】００１３
【補正方法】変更
【補正の内容】
【００１３】
さらに別の実施態様では、胴貼りは、押圧位置のとき、第１の開閉カバーによって胴のクランプ装置のクランプ台上に保持される。
【手続補正１４】
【補正対象書類名】明細書
【補正対象項目名】００１４
【補正方法】変更
【補正の内容】
【００１４】
さらに別の実施態様は、胴貼りが、押圧位置のとき、第１の開閉カバーによって胴の胴溝内に曲げ入れられた状態に保持されることを特徴としている。
【手続補正１５】
【補正対象書類名】明細書
【補正対象項目名】００２０
【補正方法】変更
【補正の内容】
【００２０】
押圧ローラ（「圧着ローラ」ともいう）６は、胴３よりもはるかに小さい外径を有しており、この胴３とともにくさび形進入口７を形成している。
【手続補正１６】
【補正対象書類名】明細書
【補正対象項目名】００２１
【補正方法】変更
【補正の内容】
【００２１】
押圧ローラ６を両側から取り囲む２つの開閉カバー、すなわち第１の保護開閉カバー９と第２の保護開閉カバー１０とを含む指保護装置８が、押圧ローラ６と並んで配置されている。押圧ローラ６は、弾性ゴム状の柔軟なローラ被覆を有しており、胴貼り５とほぼ同じ幅である。保護開閉カバー９，１０は押圧ローラ６とほぼ同じ長さであり、押圧ローラ６より若干長くてもよい。保護開閉カバー９，１０は、ジョイント、特に第１の回転ジョイント１１によって互いに連結されている。第２の保護開閉カバー１０は、第２の回転ジョイント１２によって支持体１３に固定されている。
【手続補正１７】
【補正対象書類名】明細書
【補正対象項目名】００２６
【補正方法】変更
【補正の内容】
【００２６】
図３に示す、第２のスイッチ２１を操作するための２本腕のてこ２４は、第３の回転ジョイント２５を中心として揺動可能に支持されている。回転ジョイント１１，１２は、押圧ローラ６の回転軸と軸平行な方向に向けられ、第３の回転ジョイント２５は、押圧ローラ６の回転軸と直角な方向に向けられている。２本腕のてこ２４は、スライダ２７が把持している第１のアーム２６と、第２のスイッチ２１を作動させる第２のアーム２８とを有している。スライダ２７は、内側円錐部２９と、この内側円錐部２９に差し込まれた外側円錐部３０とを介して、第１の保護開閉カバー９に伝動技術的に接続されている。内側円錐部２９は第１の保護開閉カバー９に配置されており、スライダ２７は外側円錐部３０を備えている。円錐部２９，３０は共同して、第１の保護開閉カバー９が回転ジョイント１１，１２を中心として運動したときに、回転ジョイント１１，１２と軸平行な押圧方向にスライダ２７を移動させるくさび状伝動装置を形成している。
【手続補正１８】
【補正対象書類名】明細書
【補正対象項目名】００２７
【補正方法】変更
【補正の内容】
【００２７】
支持体１３は、第４の回転ジョイントによってフレーム３１に取り付けられている。押圧ローラ６は、偏心軸受３３によって、支持体１３に対して相対的に位置調節可能に、支持体１３に取り付けられている。
【手続補正１９】
【補正対象書類名】明細書
【補正対象項目名】００２８
【補正方法】変更
【補正の内容】
【００２８】
押圧ローラ６を胴貼り５に当接させ、また胴貼り５から離れさせるためのアクチュエータとして機能する空気圧式の作動シリンダ３４の一方の端部が支持体１３に、他方の端部が偏心軸受３３に、それぞれピボット式に支持されている。作動シリンダ３４のピストンの進退によって偏心軸受３３が揺動させられ、その結果、押圧ローラ６が支持体１３に対して相対的に位置調節される。
【手続補正２０】
【補正対象書類名】明細書
【補正対象項目名】００３５
【補正方法】変更
【補正の内容】
【００３５】
第２のばね４７が、第２の保護開閉カバー１０に、支持体１３によって力を加えており、第２の保護開閉カバー１０を、第２の回転ジョイント１２を中心としてある位置へ揺動させようとしており、その位置で第１の保護開閉カバー９は、指保護装置が押圧ローラ６から完全に引き戻されて例えば清掃のために押圧ローラ６へ手を届かせることが問題なく可能になる保守位置９．２にある。第２のばね４７は、一方の脚部が第２の保護開閉カバー１０に支持され、他方の脚部が支持体１３に支持されている、第２の回転ジョイント１２のリンクピンに留められたねじりばねである。
【手続補正２１】
【補正対象書類名】明細書
【補正対象項目名】００３７
【補正方法】変更
【補正の内容】
【００３７】
第３のカム伝動装置は、第１の保護開閉カバー９を保護位置９．１から、第１の保護開閉カバー９が胴貼り５の後端１６付近を押圧して胴溝１４の中に若干入り込み、後端１６をクランプ台１７上に置いた状態に保つ押圧位置（「圧着位置」ともいう）９．３へ位置調節する働きをする。第１の保護開閉カバー９が押圧位置９．３へ位置調節されることで、胴貼り５は、後端１６の近くの、胴溝１４の溝縁部の領域に位置する胴貼り５の曲げ位置で「縁部を折り曲げられ」、その曲げ位置に位置する胴の接線に対して浅い角度で胴溝１４に入るように、クランプ装置１５に向かって曲げられている。第３のカム伝動装置は、支持体１３のカムストッパ４９に支持され、第２の回転ジョイント１１のリンクピンによって形成される軸に取り付けられている、第１の保護開閉カバー９に回転不能に結合された第３のカム４８を含んでいる。
【手続補正２２】
【補正対象書類名】明細書
【補正対象項目名】００３９
【補正方法】変更
【補正の内容】
【００３９】
押圧装置（「圧着装置」ともいう）の動作は次の通りである。
【手続補正２３】
【補正対象書類名】明細書
【補正対象項目名】００４１
【補正方法】変更
【補正の内容】
【００４１】
第２のステップでは、作動シリンダ３４を作動させることによって、押圧ローラ６を、胴３の外周面上に載っている胴貼り５に当接させる。
【手続補正２４】
【補正対象書類名】明細書
【補正対象項目名】００４２
【補正方法】変更
【補正の内容】
【００４２】
第３のステップでは、胴３を第１の電動モータ２０によって低速回転させ、それにより、胴貼り５上の押圧ローラ６を後側のクランプ装置１５に向けて転がす。胴３が図１に示す回転位置に来ると、胴３の回転を再び止める。胴貼り５は、この時点で、胴溝１４の前側の溝縁から後側の溝縁まで巻き付いている。さらに、後側の溝縁を越えてほぼ接線状に突出する後端１６は、すでにクランプ台１７の上方にある。
【手続補正２５】
【補正対象書類名】明細書
【補正対象項目名】００４３
【補正方法】変更
【補正の内容】
【００４３】
第４のステップでは、第３のカム４８の駆動軸として機能する、第１の回転ジョイント１１のリンクピン５０の横穴に差し込まれたボックススパナを使って第３のカム４８を回すことによって、第１の保護開閉カバー９を保護位置９．１から押圧位置９．３に移動させる。第１の保護開閉カバー９を押圧位置９．３に移動させている間、保護開閉カバー９，１０は第２の回転ジョイント１２を中心として揺動し、指保護装置は、第３のカム４８のカム輪郭の上り勾配によって、カムストッパ４９から離れるように押される。
【手続補正２６】
【補正対象書類名】明細書
【補正対象項目名】００４４
【補正方法】変更
【補正の内容】
【００４４】
第１の保護開閉カバー９は、第２のカム伝動装置の自己ロック機能によって、すなわち、第２のカム４３と第２のカムフォロワ部材４４との間に作用する摩擦接触によって、押圧位置９．３に保持される。したがって、第５のステップで、クランプジョー１８をクランプ台１７およびクランプ台１７上に載っている後端１６に向けて位置調節し、このようにして後端１６をクランプ台１７とクランプジョー１８の間に挟み込むために、操作者は両手が自由になる。
【手続補正２７】
【補正対象書類名】明細書
【補正対象項目名】００４５
【補正方法】変更
【補正の内容】
【００４５】
第６のステップでは、押圧ローラ６を胴貼り５から再び持ち上げ、第１の保護開閉カバー９を、押圧位置９．３から保護位置９．１に戻るように位置調節する。
【手続補正２８】
【補正対象書類名】明細書
【補正対象項目名】００５０
【補正方法】変更
【補正の内容】
【００５０】
同様に、操作者が第１の保護開閉カバー９を保護位置９．１から押圧位置９．３または保守位置９．２に位置調節するときに、第２のスイッチ２１がこのような圧力によって操作され、それによって、前記した両方の位置調節の場合に、第２のカムフォロワ部材４４は係止切欠き４５から出て第２のカム４３に沿って移動する。
【手続補正２９】
【補正対象書類名】明細書
【補正対象項目名】００５４
【補正方法】変更
【補正の内容】
【００５４】
第１の保護開閉カバー９が切換位置９．４または押圧位置９．３にあり、外側円錐部３０がもはや内側円錐部２９の内側にないときに、スライダ２７は、内側円錐部２９が設けられている支持面５１上に、外側円錐部３０の先端で支持されている。
【手続補正３０】
【補正対象書類名】明細書
【補正対象項目名】図面の簡単な説明
【補正方法】変更
【補正の内容】
【図面の簡単な説明】
【図１】本発明による押圧装置を示す横断面図である。
【図２】図１の押圧装置を示す別の横断面図である。
【図３】図１と図２の押圧装置を示す縦断面図である。
【符号の説明】
１  印刷またはニス引き機
２  圧胴
３  胴
４  インキ着けローラ
５  胴貼り
６  押圧ローラ（圧着ローラ）
７  くさび形進入口
８  指保護装置
９  第１の保護開閉カバー
９．１  保護位置
９．２  保守位置
９．３  押圧位置（圧着装置）
９．４  切換位置
１０  第２の保護開閉カバー
１１  第１の回転ジョイント
１２  第２の回転ジョイント
１３  支持体
１４  胴溝
１５  クランプ装置
１６  後端
１７  クランプ台
１８  クランプジョー
１９  第１のスイッチ
２０  第１のモータ
２１  第２のスイッチ
２２  第２のモータ
２３  カム
２４  ２本腕のてこ
２５  第３の回転ジョイント
２６  第１のアーム
２７  スライダ
２８  第２のアーム
２９  内側円錐部
３０  外側円錐部
３１  フレーム
３２  第４の回転ジョイント
３３  偏心軸受
３４  作動シリンダ
３５  第５の回転ジョイント
３６  第１のカム
３７  第１のカムフォロワ部材
３８  駆動揺動アーム
３９  連結棒
４０  従動揺動アーム
４１  第６の回転ジョイント
４２  第７の回転ジョイント
４３  第２のカム
４４  第２のカムフォロワ部材
４５  係止切欠き
４６  第１のばね
４７  第２のばね
４８  第３のカム
４９  カムストッパ
５０  リンクピン
５１  支持面
５２  係止切欠き
【手続補正３１】
【補正対象書類名】図面
【補正対象項目名】図３
【補正方法】変更
【補正の内容】
【図３】
2003291308.tif 000001